(57)【要約】      （修正有）【課題】身分証明カード、クレジット・カード、ＲＦＩＤカードなどのカードとともに用いる小型で軽量なカード・ウォレットを提供する。【解決手段】カード・ウォレットはベース２２とベースから延在する下側アーム２８および上側アーム４４とを備える。下側アームおよび上側アームはそれぞれチャネル部と外側末端部に配置された突起５８を備えている。ベースと下側アームおよび上側アームのチャネル部は保持領域を形成し、突起は保持領域が閉塞された非偏倚位置と保持領域が開放された偏倚位置との間で移動可能である。動作時には突起においてカードが挿入される時に下側アームおよび上側アームの突起が偏倚位置に移動しており、カードの挿入を完了させ、さらに第１のアームおよび第２のアームを非偏倚位置へ復帰させてカードを保持領域内に保持する。【選択図】図２
2019141623.tif 000002
【特許請求の範囲】
【請求項１】
下端部、上端部、および幅Ｗ１を有するカードとともに用いられるカード・ウォレットであって、
下側末端部および上側末端部を備えるベースと、
前記ベースの前記下側末端部に連接する内側末端部と、外側末端部とを備える下側アームであって、チャネル部と、前記外側末端部に配置されて前記チャネル部への進入を阻止する突起とをさらに備える下側アームと、
前記ベースの前記上側末端部に連接する内側末端部と、外側末端部とを備える上側アームであって、チャネル部と、前記上側アームの前記外側末端部に配置されて前記上側アームの前記チャネル部への進入を阻止する突起とを備える上側アームとを備え、
前記ベースと前記下側アームおよび前記上側アームの前記チャネル部とは前記カードを保持する保持領域を形成しており、前記下側アームおよび前記上側アームの前記突起は前記保持領域が閉塞された非偏倚位置と前記保持領域が開放された偏倚位置との間で移動可能であり、前記下側アームおよび前記上側アームの前記突起において前記カードの前記底端部および前記頂端部が挿入される時に前記下側アームおよび前記上側アームの前記突起が前記偏倚位置に移動しており、前記下側アームおよび前記上側アームの前記チャネル部内への前記カードの挿入を完了させ、さらに前記第１のアームおよび前記第２のアームを前記非偏倚位置へ復帰させて前記カードを前記保持領域内に保持するカード・ウォレット。
【請求項２】
前記上側アームの前記チャネル部は、前記下側アームの前記チャネル部に対して離間しているとともにほぼ位置整合している、請求項１に記載のカード・ウォレット。
【請求項３】
前記下側アームは前記ベースに対してほぼ垂直である、請求項２に記載のカード・ウォレット。
【請求項４】
前記上側アームは前記ベースに対してほぼ垂直である、請求項３に記載のカード・ウォレット。
【請求項５】
前記下側アームの前記突起は前記非偏倚位置において前記上側アームの前記突起から距離Ｄ１だけ離間し、前記距離Ｄ１は前記カードの前記幅Ｗ１より小さい、請求項４に記載のカード・ウォレット。
【請求項６】
前記下側アームおよび前記上側アームの前記突起の各々は丸みを帯びている、請求項５に記載のカード・ウォレット。
【請求項７】
前記下側アームは前記ベースの曲げを防止するガセットを備えている、請求項６に記載のカード・ウォレット。
【請求項８】
前記上側アームは前記ベースの曲げを防止するガセットを備えている、請求項７に記載のカード・ウォレット。
【請求項９】
前記ベース、前記下側アーム、および前記上側アームはワン・ピース材から作製されている、請求項８に記載のカード・ウォレット。
【請求項１０】
前記ワン・ピース材はアルミニウム鋼片である、請求項９に記載のカード・ウォレット。
【発明の詳細な説明】
【技術分野】
【０００１】
本発明は、概してウォレットまたはホルダに関する。より詳細には、本発明は複数の銀行デビット・カード、クレジット・カード、身分証明カード、および、ＲＦＩＤカードなどのクレジット・カードに近い外形の機械装置または電子装置を保持するように設計されたウォレットに関する。
【背景技術】
【０００２】
クレジット・カードおよび身分証明カードを収納するウォレットは、一般に、収納するカードの総量より十分に大きいウォレットに帰する態様で構成される（特許文献１）。このような従来のウォレットは、通常、各カード用に個別のポケットを備えた皮革材または合成材から作製され、厚み、重量および体積がよりいっそう増加する。種々の身分証明カードを保持および保護する金属製ケースを設計することが試みられてきた（特許文献２および特許文献３）。従来のこの種の金属製カード・ウォレットは、カードを見える状態にするには、またＲＦＩＤカードの機能を有効にするには装置を開く必要があり、さらに金属製ばねクリップによって体積の増加およびカード損傷の虞を招来してしまう。さらに、このような従来のウォレットは、ヒンジの閉状態によって内容積が決定されて容量が１、２枚のカードに制限されるため、多数のカードを収納することができない。単純な金属板と当該金属板およびカードを束ねる保持ストラップとを用いて体積の増加を最小限に抑えるように設計されたウォレットもある（特許文献４）。これらの装置は、フック・アンド・ループ・ファスナ（またはこれに代えて金属製フック・アンド・ループ）を備えた柔軟性を有する保持ストラップを使用し、カードおよび貨幣を金属板に圧接する。最近になって、従来のカード・ウォレット設計は、弾性ストラップ（特許文献５および非特許文献１）、または弾性ストラップを備える単純な機械加工された金属トレイ（非特許文献２）、または２枚の板をカードに圧接するゴム製Ｏリング（非特許文献３）を使用することに着目するようになった。このような従来のウォレット設計は、体積を最小限に抑えることに成功しながらも、身分証明カードを目視により利用することを阻み、また無線伝播を阻止することに起因してＲＦＩＤ機能を途絶させる欠点を有する。その上、弾性ストラップまたはフック・アンド・ループ・ファスナの柔軟性によって内容物の保持が不安定になり、またはＯリングの緊締性によってカードの挿入または取出しが困難になる。結局、ゴムまたは高分子弾性部材を利用した全てのウォレットは弾性部材の損耗、伸張、または亀裂に対して脆弱であってついには破損に至り、全カードが飛び出すこととなる。特許文献６は、３つの端面上にカードを保持するＬ字状のリップを備えた平坦な板金性の筐体により一方側においてカードを保持し、ばねクリップによって反対側からカードを圧接するウォレットを開示している。しかし、この種の従来の設計では、マネー・クリップが開放されると一方端が開放されてカードが落ちるため、挿入したカードを適切に保持するには厚いクリップの追加を要する。したがって、マネー・クリップが開放された場合に、カードがそれ以上保持されずに地面に落下する可能性がある。結局、ばねクリップは、挿入したカードの枚数に応じてカードに不均一な応力をかける。これにより、１枚のカードのみを挿入する場合にはカードが安定に留まらず、多数のカードを挿入する場合には留める力がプラスチック・カードに損傷を与えかねない。同様に、特許文献７、特許文献８、および特許文献９は、箱内に１つまたは複数の金属製ばねを用いて、箱内で電話カードを上向きに圧接する。しかし、これらの種類の従来の装置では、収納したカードをランダムに利用することができず、カードを収納順に取り出さざるを得ない。特許文献１０は、２つの側面上にカードを保持するＬ字状のリップを備えた薄い板金製カード・ホルダを開示しているが、閉じるときにカードを収納する皮革またはその他の柔軟性を有するフォルダを用いる。外側のフォルダによって、挿入したＩＤカードを見ること、または任意のカードを急いで挿入するもしくは取り出すことが不可能になる。特許文献１１は、クレジット・カードの裏面にある磁気ストライプを保護する薄いスリーブ装置を開示している。しかし、この装置は１枚のカードを収納することができるにすぎず、また挿入したＩＤカードを見える状態にする機能がユーザにとっておろそかにされている。特許文献１２は、複数のカードを確実に保持する他の金属製カード・ケースを開示している。しかし、この種の従来のカード・ケースでは、これまでの皮革製ウォレットと比較して体積および重量が低減されず、また、任意の挿入したＩＤカードを見ること、またはそこに収納した任意のＲＦＩＤカードの機能がおろそかにされている。
【先行技術文献】
【特許文献】
【０００３】
【特許文献１】米国特許第３６５９６４０号
【特許文献２】米国特許第１０９７８５１号
【特許文献３】米国特許第１１５１２４８号
【特許文献４】米国特許第５６５３２７６号
【特許文献５】米国特許出願公開第２０１３／０２７６９４３号
【特許文献６】米国特許第６０８２４２２号
【特許文献７】米国特許第９８５５２５号
【特許文献８】米国特許第１５０３１４４号
【特許文献９】米国特許第１７１０８２８号
【特許文献１０】米国特許第２０８４０８５号
【特許文献１１】米国特許第５９４１３７５号
【特許文献１２】米国特許第６４１２６２７号
【非特許文献】
【０００４】
【非特許文献１】ｗｗｗ．ｋｉｃｋｓｔａｒｔｅｒ．ｃｏｍ／ｐｒｏｊｅｃｔｓ／２０８３６７３７０３／ａｌｐｈａ−ｗｏｒｌｄｓ−ｂｅｓｔ−ｗａｌｌｅｔ
【非特許文献２】ｗｗｗ．ｋｉｃｋｓｔａｒｔｅｒ．ｃｏｍ／ｐｒｏｊｅｃｔｓ／１８９９４３５９９／ｍａｃｈｉｎｅ−ｅｒａ−ｗａｌｌｅｔ
【非特許文献３】ｗｗｗ．ｋｉｃｋｓｔａｒｔｅｒ．ｃｏｍ／ｐｒｏｊｅｃｔｓ／３３１４１４６９４／ｏｍｅｇａ−ｃｏｍｐａｃｔ−ｓｏｌｉｄ−ｔｉｔａｎｉｕｍ−ｗａｌｌｅｔ
【発明の概要】
【発明が解決しようとする課題】
【０００５】
本発明の一目的は、銀行デビット・カード、クレジット・カード、身分証明カード、および、ＲＦＩＤカードなどのクレジット・カードに近い外形の機械装置または電子装置を容易に格納して見える状態にすることができるカード・ウォレットを提供することである。
【課題を解決するための手段】
【０００６】
本発明は、下端部、上端部、および幅Ｗ１を有するカードとともに用いられるカード・ウォレットである。前記カード・ウォレットは、下側末端部および上側末端部を備えるベースを備えている。前記カード・ウォレットは、前記ベースの前記下側末端部に連接する内側末端部と、外側末端部とを備える下側アームをさらに備えている。前記下側アームは、チャネル部と、前記外側末端部に配置されて前記チャネル部への進入を阻止する突起とをさらに備えている。同様に、前記上側アームは、前記ベースの前記上側末端部に連接する内側末端部と、外側末端部とを備えている。前記上側アームは、チャネル部と、前記上側アームの前記外側末端部に配置されて前記上側アームの前記チャネル部への進入を阻止する突起とを備えている。前記ベースと前記下側アームおよび前記上側アームのチャネル部とは前記カードを保持する保持領域を形成している。前記下側アームおよび前記上側アームの前記突起は前記保持領域が閉塞された非偏倚位置と前記保持領域が開放された偏倚位置との間で移動可能である。動作時には、前記下側アームおよび前記上側アームの前記突起において前記カードの前記底端部および前記頂端部が接触して挿入される時に前記下側アームおよび前記上側アームの前記突起が前記偏倚位置に移動しており、前記下側アームおよび前記上側アームの前記チャネル部内への前記カードの挿入を完了させ、さらに前記第１のアームおよび前記第２のアームを前記非偏倚位置へ復帰させて前記カードを前記保持領域内に保持する。
本発明の以下の説明は、添付の図面を参照することによって理解しやすくなる。
【図面の簡単な説明】
【０００７】
【図１Ａ】本発明によるカード・ウォレットの正面斜視図である。
【図１Ｂ】前記カード・ウォレットの正面斜視図である。
【図２】複数のカードを保持し、運転免許証などの第１のカードを見える状態にして利用可能とする前記カード・ウォレットの正面平面図である。
【図３】クレジット・カードなどの第２のカードを見える状態にして利用可能とする図３のカード・ウォレットの背面平面図である。
【図４】前記カード・ウォレットの正面図である。
【図５】前記カード・ウォレットの左側面図である。
【図６】前記カード・ウォレットの右側面図である。
【図７】前記カード・ウォレットの上面図である。
【図８】前記カード・ウォレットの底面図である。
【図９】前記カード・ウォレットの背面図である。
【図１０】図４の１０−１０線に沿って切断した断面図である。
【発明を実施するための形態】
【０００８】
図１Ａ、１Ｂおよび図２、３を参照すると、本発明は、運転免許証（図２）などの第１のカード１０およびクレジット・カード（図３）などの第２のカード１２を確実に格納して見える状態にするカード・ウォレット２０である。
【０００９】
図２を参照すると、カード１０および１２の各々は、下端部１６、上端部１８、および幅Ｗ１を備えている。「カード」との用語は任意の従来の銀行デビット・カード、クレジット・カード、運転免許証などの身分証明カード、および、ＲＦＩＤカードなどの従来のクレジット・カードに近い外形をなす現存するまたは将来開発される任意の機械装置および／または電子装置を意味する。標準のクレジット・カード・サイズはＩＤ−１ドキュメント・フォーマットと呼ばれ、寸法は、８５．６０×５３．９８ｍｍ（３．３７０×２．１２５インチ）かつ０．７６ｍｍ（０．０３０インチ）厚である。
【００１０】
図１Ａ、１Ｂおよび図４〜１０を参照すると、カード・ウォレット２０は、概してベース２２、下側アーム２８、および上側アーム４４を備えている。ベース２２は下側末端部２４および上側末端部２６を備えている。下側アーム２８は、ベース２２の下側末端部２４に連接する内側末端部３０と、外側末端部３２とを備えている。下側アーム２８は、フロア３６および側壁３８および４０を有するＣ字状のチャネル部３４をさらに備えている。下側アーム２８は、外側末端部３２に連接するとともに外側末端部３２から内側に向かって延在して下側アーム２８のチャネル部３４への進入を阻止する突起４２をさらに備えている。上側アーム４４は、ベース２２の上側末端部２６に連接する内側末端部４６と、外側末端部４８とを備えている。上側アーム４４は、フロア５２および側壁５４および５６を有するＣ字状のチャネル部５０（図１０）をさらに備えている。上側アーム４４は、外側末端部４８に連接するとともに外側末端部４８から内側に向かって延在して上側アーム４４のチャネル部５０への進入を阻止する突起５８をさらに備えている。ベース２２と下側アーム２８および上側アーム４４のチャネル部３４および５０とは、それぞれ、第１のカード１０および第２のカード１２を保持する保持領域を形成する。上側アーム４４のチャネル部５０は、下側アーム２８のチャネル部３４に対して離間しているとともにほぼ位置整合している。下側アーム２８はベース２２に対してほぼ垂直である。上側アーム４４はベース２２に対してほぼ垂直である。非偏倚状態、すなわち下側アーム２８および上側アーム４４が応力を受けず移動もしない位置において、突起４２と突起５８との間の距離Ｄ１は５２．４０ｍｍ（２．０６３０インチ）であり、カード１０および１２を保持領域から取り出すことができない。下側アーム２８および上側アーム４４のそれぞれの突起４２および５８は、保持領域が閉塞された非偏倚位置と、カード１０および１２を保持領域に挿入することが可能となる保持領域が開放された偏倚位置との間で移動可能である。下側アーム２８の突起４２は非偏倚位置において上側アーム４４の突起５８から距離Ｄ１だけ離間している。非偏倚位置において距離Ｄ１はカードの幅Ｗ１より小さい。動作時には、突起４２および５８においてカード１０および１２の底端部１６および頂端部１８が挿入される時に下側アーム２８および上側アーム４４のそれぞれの突起４２および５８が偏倚位置に移動しており、下側アーム２８および上側アーム４４のそれぞれのチャネル部３４および５０内へのカード１０および１２の挿入を完了させ、さらに第１のアーム２８および第２のアーム４４を非偏倚位置へ復帰させてカード１０および１２を保持領域内に保持する。突起４２および５８は、カード１０および１２を確実に保持するように寸法決めされて円筒状をなし、また手で操作するときにカード１０および１２を放出する滑らかな表面を備えている。下側アーム２８および上側アーム４４のそれぞれのチャネル部３４および５０は、挿入対象のカードを整列させるのを補助するように開口部の最奥まで延伸している。
【００１１】
カード・ウォレット２０は、アルミニウム６０６１−Ｔ６または７０７５−Ｔ６合金の鋼片などの単一ピースの材料から従来の機械加工によって作製され、下側アーム２８および上側アーム４４のそれぞれのチャネル部３４および５０を形成する中央カード・スロットを備えている。下側アーム２８は、内側末端部３０において、鋼片材料の弾性限界を超えて下側アーム２８を曲げることを防止するようにベース２２と接合したコーナ・ガセット４３をさらに備えている。同様に、上側アーム４４は、内側末端部４６において、鋼片材料の弾性限界を超えて上側アーム４４を曲げることを防止するようにベース２２と接合したコーナ・ガセット５９をさらに備えている。コーナ・ガセット４３および５９における丸みを帯びた形状は、局部応力破壊を防止する応力緩和に利用される。ベース２２は、カード１０および１２を挿入して取り出すことができる程度に下側アーム２８および上側アーム４４が曲がることを可能とするトーション・バーを形成している。加熱処理してエージング固化させたアルミニウム合金を使用すれば、繰り返しの曲げが応力破壊に至らないことを確保しやすい。しかし、鋼片を、他のアルミニウム合金、ステンレス鋼、チタン合金、炭素繊維、または他の複合材料もしくは高分子材料などの、破壊を伴わずに繰り返し曲げることが可能な任意の他の材料から構成することができる。
【００１２】
カード・ウォレット２０は、従来のカード・ウォレットと比較して顕著な改善および利点をもたらす。第１に、カード・ウォレット２０は従来のカード・ウォレットより非常に軽量である。第２に、カード・ウォレット２０は、後に劣化して定期的な交換を要する弾性体またはばねの使用を伴わずに、挿入したカードを確実に固定または保持する。第３に、カード・ウォレット２０は、担持者の身分を証明する、カード１０および１２の非遮視状態を提供する。第４に、カード１０および１２は、カードが損傷を受けることなく保持領域に確実に保持される。第５に、カード・ウォレット２０によって、カードを任意の所望の態様で積み重ねることが可能となり、積み重なったカードのうちの２枚を全体的に見える状態にすることが可能となる。
【００１３】
代替の実施形態として、静止した突起を、ばねを装填した突起で置き換えることによってベース２２を曲げる必要性を解消してもよい。他の実施形態として、ねじおよびねじ溝付き孔などの従来の締結手段によって、カード・ウォレット２０の下側アーム２８および上側アーム４４をベース２２に接続される個別ピースとしてもよい。他の実施形態として、カード・ウォレット２０に、下側アーム２８および上側アーム４４のそれぞれのチャネル部３４および５０の各々を備えた複数のチャネルを採用することによって、１つのチャネル内に１枚のカードを挿入することを可能としてもよい。他の実施形態として、下側アーム２８上の側壁３８および４０と上側アーム４４上の側壁５４および５６との間の距離をより小さくまたはより大きくして、それぞれ、挿入するカードの数をより少なくまたはより多くすることを可能としてもよい。下側アーム２８および上側アーム４４のそれぞれのチャネル部３４および５０はｃ字状であるが、正方形状および長方形状などの他の様々な形状を有していてもよい。
【００１４】
本発明の特定の実施形態を図示および説明してきたが、当業者が請求する発明の範囲から逸脱せずに変更および修正をなし得ることは明らかである。
【図１Ａ】
2019141623.tif 000003
【図１Ｂ】
2019141623.tif 000004
【図２】
2019141623.tif 000005
【図３】
2019141623.tif 000006
【図４】
2019141623.tif 000007
【図５】
2019141623.tif 000008
【図６】
2019141623.tif 000009
【図７】
2019141623.tif 000010
【図８】
2019141623.tif 000011
【図９】
2019141623.tif 000012
【図１０】
2019141623.tif 000013
【手続補正書】
【提出日】平成31年4月14日(2019.4.14)
【手続補正１】
【補正対象書類名】特許請求の範囲
【補正対象項目名】全文
【補正方法】変更
【補正の内容】
【特許請求の範囲】
【請求項１】
下端部、上端部、および幅Ｗ１を有するカードとともに用いられるカード・ウォレットであって、
下側末端部および上側末端部を備えるベースと、
前記ベースの前記下側末端部に連接する内側末端部と、外側末端部とを備える下側アームであって、平坦なフロアと２つの側壁を含んで構成されたチャネル部と、前記外側末端部と連接するように配置されて前記チャネル部への進入を阻止する静止した突起とをさらに備える下側アームと、
前記ベースの前記上側末端部に連接する内側末端部と、外側末端部とを備える上側アームであって、平坦なフロアと２つの側壁を含んで構成されたチャネル部と、前記上側アームの前記外側末端部と連接するように配置されて前記上側アームの前記チャネル部への進入を阻止する突起とを備える上側アームとを備え、
前記ベースと前記下側アームおよび前記上側アームの前記チャネル部とは前記カードを保持する保持領域を形成しており、前記下側アームおよび前記上側アームの前記静止した突起は前記上側アームと前記下側アームとが撓むことで前記保持領域が閉塞された非偏倚位置と前記保持領域が開放された偏倚位置との間で移動可能であり、前記下側アームおよび前記上側アームの前記突起において前記カードの底端部および頂端部が挿入される時に前記下側アームおよび前記上側アームの前記突起が前記偏倚位置に移動しており、前記下側アームおよび前記上側アームの前記チャネル部内への前記カードの挿入を完了させ、さらに前記第１のアームおよび前記第２のアームを前記非偏倚位置へ復帰させて前記カードを前記保持領域内に保持するカード・ウォレット。
【請求項２】
前記上側アームの前記チャネル部は、前記下側アームの前記チャネル部に対して離間しているとともに位置整合している、請求項１に記載のカード・ウォレット。
【請求項３】
前記下側アームは前記ベースに対して垂直である、請求項２に記載のカード・ウォレット。
【請求項４】
前記上側アームは前記ベースに対して垂直である、請求項３に記載のカード・ウォレット。
【請求項５】
前記下側アームの前記突起は前記非偏倚位置において前記上側アームの前記突起から距離Ｄ１だけ離間し、前記距離Ｄ１は前記カードの前記幅Ｗ１より小さい、請求項４に記載のカード・ウォレット。
【請求項６】
前記下側アームおよび前記上側アームの前記突起の各々は丸みを帯びている、請求項５に記載のカード・ウォレット。
【請求項７】
前記下側アームは前記ベースの曲げを防止するガセットを備えている、請求項６に記載のカード・ウォレット。
【請求項８】
前記上側アームは前記ベースの曲げを防止するガセットを備えている、請求項７に記載のカード・ウォレット。
【請求項９】
前記ベース、前記下側アーム、および前記上側アームはワン・ピース材から作製されている、請求項８に記載のカード・ウォレット。
【請求項１０】
前記ワン・ピース材はアルミニウム鋼片である、請求項９に記載のカード・ウォレット。
【請求項１１】
前記ワン・ピース材は、アルミニウム合金、ステンレス鋼、チタン合金、炭素繊維、高分子、それらの複合材料および混合物からなる群から選択される材料で構成されている、請求項９に記載のカード・ウォレット。
【請求項１２】
前記上側アームの前記静止した突起は前記上側アームとの一体ユニットとして曲がり、前記下側アームの前記静止した突起は前記下側アームとの一体ユニットとして曲がる、請求項１に記載のカード・ウォレット。
【請求項１３】
前記下側アームの前記チャネル部は、前記内側末端部と前記外側末端部との間に平坦なチャネル・フロアを有して、前記カードの前記下端部の全長を受け入れるように構成されており、
前記上側アームの前記チャネル部は、前記内側末端部と前記外側末端部との間に平坦なチャネル・フロアを有して、前記カードの前記上端部の全長を受け入れるように構成されており、
前記ベースは、前記保持領域において保持された前記カードの幅Ｗ１に対して平行に配置されるとともに当接する平坦な内表面を有している、請求項１に記載のカード・ウォレット。
【請求項１４】
前記上側アームおよび前記下側アームは前記上側アームおよび前記下側アームの前記内側末端部においてのみ前記ベースに連接しており、前記カード・ウォレットの最外部の外側前面および最外部の外側後面の両方から前記カードを非遮視状態にする、前記カード・ウォレットを貫通する開口部を備えている、請求項１に記載のカード・ウォレット。
【請求項１５】
前記最外部の外側前面は前記最外部の外側後面と対称である、請求項１４に記載のカード・ウォレット。
【手続補正２】
【補正対象書類名】図面
【補正対象項目名】図１０
【補正方法】変更
【補正の内容】
【図１０】
2019141623.tif 000014